(57)【特許請求の範囲】
【請求項１】
上位装置と、予備系の下位装置と、単一又は複数の現用系の下位装置とを含み、前記上位装置からの制御によって前記現用系の下位装置と前記予備系の下位装置との切替えを行う現用予備切替制御システムに於いて、
前記上位装置は、現用予備の切替要因の発生により前記予備系の下位装置に対して切替指示を送出する手段と、前記予備系の下位装置からの前記切替指示に対する切替タイミングを含む切替応答を受信して、該切替タイミングを現用予備の切替えを行う現用系の下位装置に送出する手段とを有し、
前記予備系の下位装置と前記現用系の下位装置とは、前記切替タイミングに従って現用予備の切替えを行う切替処理手段を有する
ことを特徴とする現用予備切替制御システム。
【請求項２】
前記上位装置は、前記現用系と前記予備系との下位装置に対してクロック信号に同期したフレーム番号を通知し、該フレーム番号を基に前記切替タイミングを現用予備の切替えを行う現用系の下位装置に通知する手段を有することを特徴とする請求項１記載の現用予備切替制御システム。
【請求項３】
前記現用系と予備系との下位装置は、受信したデータを一時的に蓄積するデータ整合ブロックと、該データ整合ブロックからデータを送出する出力制御ブロックとを有し、前記上位装置からの切替指示により前記現用系と前記予備系との下位装置の前記データ整合ブロックに受信蓄積したデータの整合がとれるタイミングを前記切替タイミングとし、該切替タイミングに於いて前記現用系の下位装置の出力制御ブロックを閉じ且つ前記予備系の下位装置の出力制御ブロックを開ける制御を行う手段を有することを特徴とする請求項１記載の現用予備切替制御システム。
【請求項４】
上位装置と、予備系の下位装置と、単一又は複数の現用系の下位装置とを含み、前記上位装置からの制御によって前記現用系の下位装置と前記予備系の下位装置との切替えを行う切替制御方法に於いて、
前記上位装置は、現用予備の切替要因の発生により前記予備系の下位装置に対して切替指示を送出し、
該切替指示により前記予備系の下位装置は、切替タイミングを含む切替応答を前記上位装置に送出し、
前記上位装置は、現用予備の切替えを行う現用系の下位装置に、前記切替タイミングを通知し、
前記予備系の下位装置と前記現用系の下位装置とは、前記切替タイミングに於いて現用予備の切替えを行う過程を含む
ことを特徴とする切替制御方法。
【請求項５】
前記上位装置は、前記現用系と前記予備系との下位装置に対してクロック信号に同期したフレーム番号を通知し、前記上位装置からの切替指示に従って前記予備系の下位装置からのフレーム番号を基にした切替タイミングを前記上位装置に送出し、該上位装置は、現用予備の切替えを行う現用系の下位装置に前記切替タイミングを通知する過程を含むことを特徴とする請求項４記載の切替制御方法。
【発明の詳細な説明】
【０００１】
【発明の属する技術分野】
本発明は、予備系装置に対して単一又は複数の現用系装置を有し、現用系装置の性能劣化や障害発生時に予備系装置に切替える現用予備切替制御システム及び切替制御方法に関する。
【０００２】
【従来の技術】
図５は従来例の現用予備切替制御システムの説明図であり、交換システムの場合を例に示すもので、（Ａ）は、上位装置５０と、予備系の下位装置５１と、現用系の下位装置５２とを含み、下位装置５１，５２は、例えば、プロセッサや、交換装置に於ける呼制御情報に従ったパス設定やパス切替え等の機能を有するものである。又予備系の下位装置５１と現用系の下位装置５２との間に系間通信ルート５３が形成されている。そして、上位装置５０から予備系の下位装置５１と現用系の下位装置５２とに対してクロック信号を供給し、装置間の同期化を行う構成を有するものである。
【０００３】
又上位装置５０から現用系の下位装置５２に対して呼制御情報を送出して呼接続制御を行わせる。その時、現用系の下位装置５２は、予備系の下位装置５１に対して上位装置５０からの呼制御情報を系間通信ルート５３を介して転送する。予備系の下位装置５１は、この呼制御情報を保持する。それにより、上位装置５０から現用予備の切替指示があると、予備系の下位装置５１は、保持していた呼制御情報を基に現用系の下位装置５２の制御状態を引き継いで呼制御を継続することができる。
【０００４】
又図５の（Ｂ）は、上位装置６０と、予備系の下位装置６１と、現用系の下位装置６２とを含み、系間通信ルートを省略していることにより、上位装置６０から、現用系の下位装置６２に送出する呼制御情報を、予備系の下位装置６１に対しても送出する。そして、予備系の下位装置６１は、その呼制御情報を保持し、上位装置６０からの切替指示によって、現用系の下位装置６２の呼制御状態を引き継いで現用系として動作することができる。
【０００５】
Ｎ個の現用系の下位装置に対して１個の予備系の下位装置を設けたＮ：１の現用予備切替制御システムの場合、１個の予備系の下位装置に対してＮ個の現用装置との間に系間通信ルートを形成することは、システム構成が複雑化するから、図５の（Ｂ）に示すシステム構成が適用される。そして、予備系の下位装置は、Ｎ個の現用系の下位装置に対する呼制御情報等を、現用系の下位装置対応に保持する機能を備えることになる。
【０００６】
図６は従来例の切替制御動作シーケンス説明図であり、移動通信システムの複数の基地局の上位の基地局制御局に相当する構成について示し、ＣＯＮＴは呼制御要求等に従って各部を制御する上位制御装置、ＣＯＭは上位制御装置ＣＯＮＴからの指示に従って下位側の装置の呼設定制御指示等を行う切替制御装置を示し、この上位制御装置ＣＯＮＴと切替制御装置ＣＯＭとは、図５の（Ａ），（Ｂ）に於ける上位装置５０，６０に対応する。
【０００７】
又ＤＨＴ０，ＤＨＴ１，ＤＨＴ２は、ハイウェイポートの接続等を行う下位側の接続装置で、この場合、接続装置ＤＨＴ０を予備系（ＳＢＹ）とし、接続装置ＤＨＴ１，ＤＨＴ２を現用系（ＡＣＴ）とし、２台の現用系の接続装置ＤＨＴ１，ＤＨＴ２に対して１台の予備系の接続装置ＤＨＴ０を設けた２：１の現用予備切替制御システムを構成した場合を示す。
【０００８】
上位制御装置ＣＯＮＴは、図示を省略したユーザ或いは他の交換装置等からの要求に従って切替制御装置ＣＯＭに制御指示を送出するもので、例えば、コネクション設定１を送出すると、切替制御装置ＣＯＭは、現用系の接続装置ＤＨＴ１と予備系の接続装置ＤＨＴ０とに、このコネクション設定１を送出する。現用系の接続装置ＤＨＴ１は、このコネクション設定１の指示に従って例えばハイウェイ（ＨＷ）ポート１の接続を行う。又予備系の接続装置ＤＨＴ０は、このコネクション設定１の情報を保持し、ハイウェイ（ＨＷ）ボートは未接続の状態とする。この場合、図５の（Ｂ）に示す制御構成に対応するもので、上位装置から現用系装置と予備系装置とに共に同一の制御指示を送出する。
【０００９】
次に、上位制御装置ＣＯＮＴから切替制御装置ＣＯＭにコネクション設定２を送出すると、切替制御装置ＣＯＭは、現用系の接続装置ＤＨＴ２と予備系の接続装置ＤＨＴ０とにコネクション設定２を送出する。現用系の接続装置ＤＨＴ２は、このコネクション設定２の指示に従って例えばハイウェイポート２の接続を行い、予備系の接続装置ＤＨＴ０は、このコネクション設定２の情報を保持し、ハイウェイポートは未接続の状態とする。
【００１０】
このような制御状態に於いて、上位制御装置ＣＯＮＴから現用系の接続装置ＤＨＴ１の異常検出情報等に従って、現用系の接続装置ＤＨＴ１の閉塞指示を切替制御装置ＣＯＭに送出すると、切替制御装置ＣＯＭは、予備系の接続装置ＤＨＴ０に切替指示を送出する。予備系の接続装置ＤＨＴ０は、切替指示に従って保持していたコネクション設定１の情報をハード（ＨＡＲＤ）設定し、切替えの準備を行い、その準備完了を示す切替応答を切替制御装置ＣＯＭに送出する。
【００１１】
切替制御装置ＣＯＭは、予備系の接続装置ＤＨＴ０からの切替応答により、現用系の接続装置ＤＨＴ１に対してハイウェイポートの割りつけ変更を指示し、次に予備系の接続装置ＤＨＴ０に対して現用系に切替える指示を送出する。それによって、予備系の接続装置ＤＨＴ０はコネクション設定１に従ったハイウェイポート１の接続を行い、現用系（ＡＣＴ）として動作を行う。又現用系であった接続装置ＤＨＴ１はＢＬＫとして示すようにハイウェイ側から切り離された状態となる。
【００１２】
又前に現用系であった接続装置ＤＨＴ１の状態が復旧すると、上位制御装置ＣＯＮＴは、切替制御装置ＣＯＭに対して接続装置ＤＨＴ１の閉塞解除指示を送出する。切替制御装置ＣＯＭは、この閉塞解除指示に従って接続装置ＤＨＴ０に切戻し指示を送出する。接続装置ＤＨＴ０はコネクション設定１のハード設定を解除し、切替制御装置ＣＯＭに指示に従った動作の応答を送出する。そして、切替制御装置ＣＯＭは、接続装置ＤＨＴ０にハイウェイポートの割りつけ変更を指示し、次に接続装置ＤＨＴ１にもハイウェイポートの割りつけ変更を指示する。それにより、接続装置ＤＨＴ１は現用系（ＡＣＴ）に戻り、接続装置ＤＨＴ０は予備系（ＳＢＴ）に戻ることになる。
【００１３】
【発明が解決しようとする課題】
前述の従来例の現用予備切替制御は、現用系の接続装置ＤＨＴ１から予備系の接続装置ＤＨＴ０に切替える時に、斜線で示す期間のハイウェイポートの未接続の状態が発生し、又切り戻しの場合も、斜線で示す期間のハイウェイポートの未接続の状態が発生する。このような未接続の状態が発生すると、現用予備の切替えの過程に於けるユーザのデータが欠落する問題がある。
【００１４】
そこで、現用系の接続装置と予備系の接続装置とのハイウェイポートに対して同一のハイウェイを接続することが考えられるが、その場合に、同時に現用系の接続装置と予備系の接続装置とを介した重複したデータが流れて、僅かなタイミングのずれによりデータ誤りが増加する問題がある。
本発明は、データが欠落することなく、且つ重複することなく、現用予備の切替えを可能とすることを目的とする。
【００１５】
【課題を解決するための手段】
本発明の現用予備切替制御システムは、図１を参照して説明すると、上位装置１と、予備系の下位装置２と、単一又は複数の現用系の下位装置３とを含み、上位装置１からの制御によって現用系の下位装置３と予備系の下位装置２との切替えを行う現用予備切替制御システムであって、上位装置１は、現用予備の切替要因の発生により予備系の下位装置２に対して切替指示を送出する手段と、予備系の下位装置２からの切替指示に対する切替タイミングを含む切替応答を受信して、この切替タイミングを現用予備の切替えを行う現用系の下位装置３に送出する手段とを有し、予備系の下位装置２と現用系の下位装置３とは、前記切替タイミングに従って現用予備の切替えを行う切替処理手段を有するものである。
【００１６】
又上位装置１は、現用系と予備系との下位装置２，３に対してクロック信号に同期したフレーム番号を通知し、このフレーム番号を基に切替タイミングを現用予備の切替えを行う現用系の下位装置３に通知する手段を備えている。又現用系と予備系との下位装置２，３は、受信したデータを一時的に蓄積するデータ整合ブロックと、このデータ整合ブロックからデータを送出する出力制御ブロックとを有し、上位装置１からの切替指示により、現用系と予備系との下位装置２，３のデータ整合ブロックに受信蓄積したデータの整合がとれるタイミングを切替タイミングとし、この切替タイミングに於いて現用系の下位装置３の出力制御ブロックを閉じ且つ予備系の下位装置２の出力制御ブロックを開ける制御を行う手段を備えることができる。
【００１７】
又本発明の切替制御方法は、上位装置１と、予備系の下位装置２と、単一又は複数の現用系の下位装置３とを含み、上位装置１からの制御によって現用系の下位装置３と予備系の下位装置２との切替えを行う切替制御方法であって、上位装置１は、現用予備の切替要因の発生により予備系の下位装置２に対して切替指示を送出し、この切替指示により予備系の下位装置２は、切替タイミングを含む切替応答を上位装置１に送出し、この上位装置１は、現用予備の切替えを行う現用系の下位装置３に、切替タイミングを通知し、予備系の下位装置２と現用系の下位装置３とは、切替タイミングに於いて現用予備の切替えを行う過程を含むものである。
【００１８】
又上位装置１は、現用系と予備系との下位装置２，３に対してクロック信号に同期したフレーム番号を通知し、上位装置１からの切替指示に従って、予備系の下位装置２からのフレーム番号を基にした切替タイミングを上位装置１に送出し、この上位装置１は、現用予備の切替えを行う現用系の下位装置３に、切替タイミングを通知する過程を含むことができる。
【００１９】
【発明の実施の形態】
図１は本発明の原理説明図であり、１は上位装置、２，３は下位装置を示し、下位装置２，３は、ハイウェイの接続制御を行う接続装置に相当する。又下位装置２は予備系（ＳＢＹ）、下位装置３は現用系（ＡＣＴ）の場合を示す。従って、現用系の下位装置３は、ハイウェイのポートをオンとし、予備系の下位装置２はポートをオフとしている。なお、１：１の現用予備切替制御システムの場合を示すが、Ｎ：１の現用予備切替え制御システムを構成することも可能である。
【００２０】
上位装置１は、現用予備の切替要因の発生により予備系の下位装置２に対して切替指示を送出する手段と、予備系の下位装置２からの切替指示に対する切替タイミングを含む切替応答を受信して、この切替タイミングを現用予備の切替えを行う現用系の下位装置３に送出する手段とを有するものである。又予備系の下位装置２と現用系の下位装置３とは、同一の切替タイミングに従って現用予備の切替えを行う切替処理手段を有するものである。
【００２１】
又上位装置１から下位装置２，３に対してクロック信号ＣＬＫを供給して各装置間の同期化を可能とし、更に、このクロック信号ＣＬＫに同期して、例えば、１０ｍｓ周期のフレームの番号を上位装置１から下位装置２，３に送出する。又上位装置１から現用系の下位装置３に対してコネクション設定情報等の制御情報を送出した時は、同一の制御情報を予備系の下位装置２に対しても送出する。予備系の下位装置２は、この制御情報を保持しておくものである。
【００２２】
又上位装置１から現用予備の切替指示を受信してから実際に現用予備の切替えを行うまでに要する時間をαとすると、上位装置１は、現用系の下位装置３に於ける誤り率劣化等の異常検出情報に従って予備系の下位装置２に切替指示を行う。予備系の下位装置２は、この切替指示のタイミングｔからｔ＋αの時刻に現用系として切替えの完了が可能であるから、これを切替タイミングとして、上位装置１に応答する。
【００２３】
上位装置１は、現用系の下位装置３に対してｔ＋αのタイミングで予備系に切替える切替タイミングを通知する。それにより、下位装置２，３は、ｔ＋αの切替タイミングで同時にハイウェイポートのオン，オフを制御して、現用系から予備系に、又予備系から現用系に移行することができる。それにより、ハイウェイを介して伝送されるユーザのデータの欠落や重複が生じないように、現用予備の切替えが可能となる。
【００２４】
図２は本発明の実施の形態の説明図であり、１１は上位制御装置（ＣＯＮＴ）、１２はＡＴＭスイッチ（ＡＴＭＳＷ）、１３は切替制御装置（ＣＯＭ）、１４はハイウェイ選択接続装置（ＨＷＳ）、１５，１６，１７は下位装置に相当する接続装置（ＤＨＴ０，ＤＨＴ１，ＤＨＴ２）、２１は制御処理部、２２はタイミング制御部、２４は２ポート選択部、２５，２６，２７は切替処理部を示す。
【００２５】
この実施の形態は、移動通信システムに於ける複数の基地局の上位の基地局制御局に相当する場合を示し、又上位制御装置１１と切替制御装置１３との間及びハイウェイをＡＴＭセルにより伝送するもので、ＡＴＭスイッチ１２は、このＡＴＭセルのヘッダの仮想パス識別子（ＶＰＩ）と仮想チャネル識別子（ＶＣＩ）とを基にルート制御を行うものであり、Ｕプレーンルートに於いてはペイロードにユーザデータが格納されたＡＴＭセルが伝送され、Ｃプレーンルートに於いてはＡＴＭセルのペイロードに各種の制御情報が設定されて伝送される。又ＡＴＭスイッチ１２に接続される他装置は、基地局又は移動交換局等の装置を示す。
【００２６】
又Ｎ個の現用系の接続装置に対して１個の予備系の接続装置を設けたＮ：１の現用予備切替システムに於いて、Ｎ＝２とした場合を示す。従って、ハイウェイ選択接続装置１４は、Ｕプレーンルートとして示す３個の接続装置との間の３本のハイウェイと、ＡＴＭスイッチ１２を介して接続する他装置側の２本のハイウェイとを、切替制御装置１３からの制御によって２ポート選択部２４に於いて選択接続する構成を有する。又上位制御装置１１と切替制御装置１３とが、図１に於ける上位装置１に相当し、接続装置１５，１６，１７が、図１に於ける下位装置２，３に相当し、例えば、他装置としての複数の基地局間を移動局が移動したことによるハンドオーバー等の処理を上位制御装置１１の指令によって現用系の接続装置に於いて仮想チャネル切替え等によって実行することができる。
【００２７】
又切替制御装置１３は、制御処理部２１とタイミング制御部２２とを含む手段を備え、Ｃプレーンルートとして示すルートを介して接続装置１５，１６，１７との間で制御情報等の伝送処理を行うものである。この場合、ＦＮは、クロック信号に同期し、例えば、１０ｍｓ周期のフレーム番号を示す。即ち、切替制御装置１３から接続装置１５，１６，１７にクロック信号を供給して同期動作を可能とし、且つフレーム番号ＦＮにより時刻情報を通知することになる。
【００２８】
又接続装置１５を予備系（ＳＢＹ）として、ハイウェイの受信ポートをオフ状態とし、接続装置１６，１７を現用系（ＡＣＴ）として、ハイウェイの受信ポートをオンとしている状態を示す。又切替処理部２５，２６，２７は、切替制御装置１３からの切替指令に従って、ハイウェイポートのオン，オフにより、現用予備の切替えの制御を行う機能を有するものである。
【００２９】
従って、予備系の下位装置に対して切替指示を送出する手段は、切替制御装置１３の制御処理部２１の機能に相当し、切替タイミングを現用系の下位装置に送出する手段は、タイミング制御部２２の機能を含む手段に相当する。又下位装置の現用予備の切替処理手段は、接続装置１５，１６，１７の切替処理部２５，２６，２７の機能に相当する。
【００３０】
図３は本発明の実施の形態の切替制御動作シーケンス説明図であり、上位制御装置（ＣＯＮＴ）１１と、切替制御装置（ＣＯＭ）１３と、接続装置（ＤＨＴ０，ＤＨＴ１，ＤＨＴ２）１５，１６，１７とを略号で示すもので、接続装置ＤＨＴ０を予備系（ＳＢＹ）、接続装置ＤＨＴ１，ＤＨＴ２を現用系（ＡＣＴ）とした状態を示す。
【００３１】
従って、従来例と同様に、上位制御装置ＣＯＮＴからコネクション設定１を、ＡＴＭセルとしてＡＴＭスイッチ１２（ＡＴＭＳＷ）を介して切替制御装置ＣＯＭに送出すると、切替制御装置ＣＯＭは、接続装置ＤＨＴ１にコネクション設定１を送出する。この場合、切替制御装置ＣＯＭの制御処理部２１は、上位制御装置ＣＯＮＴからのコネクション設定１を制御処理部２１で処理し、接続装置ＤＨＴ１に対するものと判定すると、現用系の接続装置ＤＨＴ１と、予備系の接続装置ＤＨＴ０とに、このコネクション設定１を送出する。
【００３２】
現用系の接続装置ＤＨＴ１は、切替処理部２６によりコネクション設定１を基に、仮想チャネル設定等によりハイウェイポート接続を制御し、例えば、ハイウェイポート１の接続を行う。又予備系の接続装置ＤＨＴ０は、切替処理部２５の処理により、接続装置ＤＨＴ１対応にコネクション設定１を保持するのみで、ハイウェイポートは未接続の状態を継続することになる。即ち、予備系の接続装置ＤＨＴ０は、図示を省略した記憶手段により、切替制御装置１３から送出される現用系の接続装置に対するコネクション設定情報等を、接続装置対応に記憶しておくものである。
【００３３】
同様に、上位制御装置ＣＯＮＴからコネクション設定２を送出すると、切替制御部ＣＯＭの制御処理部２１は、現用系の接続装置ＤＨＴ２に対するものと判定して、この接続装置ＤＨＴ２と予備系の接続装置ＤＨＴ０とにコネクション設定２を送出する。それにより、現用系の接続装置ＤＨＴ２は、切替処理部２７によりコネクション設定２を基に仮想チャネル設定等によってハイウェイポート接続を制御し、例えば、ハイウェイポート２の接続を行う。又予備系の接続装置ＤＨＴ０は、切替処理部２５の処理により、接続装置ＤＴＨ２対応にコネクション設定２を保持し、ハイウェイポートは未接続の状態を継続する。この時に、ハイウェイ選択接続装置１４は、ＡＴＭスイッチ１２を介した２本のハイウェイと、現用系の接続装置ＤＨＴ１，ＤＨＴ２との間を選択接続している。
【００３４】
前述の接続状態に於いて、現用系の接続装置ＤＨＴ１，ＤＨＴ２は、ポートオンとして示すように、ハイウェイを介した受信データを所定の仮想チャネルとして送信することができる。そして、現用系の接続装置ＤＨＴ１の異常検出情報等により、上位制御装置ＣＯＮＴから、接続装置ＤＨＴ１の閉塞指示を送出すると、切替制御装置ＣＯＭは、制御処理部２１により判定して、予備系の接続装置ＤＨＴ０と現用系の接続装置ＤＨＴ１とに、切替指示（１→０；ＤＨＴ１からＤＨＴ０への切替えを示す）を送出する。この切替指示の情報には接続装置ＤＨＴ１を示す情報が含まれているから、予備系の接続装置ＤＨＴ０の切替処理部２５は、接続装置ＤＴＨ１対応のコネクション設定１を、切替処理部２５にハード設定する。
【００３５】
又切替制御装置ＣＯＭは、図示を省略したシーケンスに従ってハイウェイ選択接続装置１４を制御し、現用系の接続装置ＤＴＨ１と、予備系の接続装置ＤＴＨ０とに対するハイウェイを同時に接続する。この状態に於いても、予備系の接続装置ＤＨＴ０のハイウェイポートは未接続の状態としているから、現用系と予備系との両方の接続装置を介して重複したデータは送信されない。
【００３６】
次に切替制御装置ＣＯＭは、予備系の接続装置ＤＨＴ０に対してハイウェイポートの割りつけ変更を指示する。この接続装置ＤＨＴ０は、切替処理部２５の制御により、ハイウェイポート１の接続制御を行う。そして、切替タイミングを切替制御装置ＣＯＭに通知する。この切替タイミングは、例えば、現在のフレーム番号ＦＮの次のフレーム周期で切替えを実行できる場合、切替タイミングとしてＦＮ＋１を通知する。即ち、前述の現用予備の切替えに要する時間αとして、１フレーム周期とした場合を示す。
【００３７】
切替制御装置ＣＯＭは、現用系の接続装置ＤＨＴ１に対して、タイミング制御部２２の処理により、ＦＮ＋１の切替タイミングを指示する。この接続装置ＤＨＴ１は、切替処理部２６に於けるフレーム番号が、通知された切替タイミングのＦＮ＋１となると、ハイウェイポートを閉じて、切替制御装置ＣＯＭに切替応答を送出する。又予備系の接続装置ＤＨＴ０の切替処理部２５に於いても、通知した切替タイミングのＦＮ＋１に於いてハイウェイポートをオンとして、切替制御装置ＣＯＭに切替応答を送出する。即ち、現用系の接続装置ＤＨＴ１と予備系の接続装置ＤＨＴ０とは、同一の切替タイミングで、ハイウェイポートの切替えを行うことができるから、データの欠落が生じないことになる。
【００３８】
又切替制御装置ＣＯＭは、図示を省略したシーケンスにより、ハイウェイ選択接続装置１４を制御し、現用系に切替えた接続装置ＤＨＴ０に接続するように、ハイウェイ選択接続装置１４を制御する。従って、接続装置ＤＨＴ０，ＤＴＨ２が現用系として動作する状態となる。
【００３９】
又接続装置ＤＨＴ１が正常な状態に復旧した場合、上位制御装置ＣＯＮＴから接続装置ＤＨＴ１の閉塞解除指示を送出する。切替制御装置ＣＯＭは、接続装置ＤＨＴ０，ＤＨＴ１に切替指示（０→１；ＤＨＴ０からＤＨＴ１に切替えることを示す）を送出し、ハイウェイ選択接続装置１４の２ポート選択部２４を制御して、接続装置ＤＨＴ０，ＤＨＴ１に対するハイウェイを同時に接続する。この場合、接続装置ＤＨＴ０のポートはオフ状態であるから、ハイウェイが接続されても、重複したデータの送出が生じないことになる。又接続装置ＤＨＴ０の切替処理部２５は、接続装置ＤＨＴ１への切替指示を判定する。コネクション設定１を解除し、且つそのコネクション設定１の情報を保持する。又切替制御装置ＣＯＭは、接続装置ＤＨＴ１に切替指示を送出する。
【００４０】
接続装置ＤＨＴ１は、切替指示により、切替制御装置ＣＯＭに切替タイミングを通知する。この切替タイミングも、前述の場合と同様に、現在のフレーム番号ＦＮに、切替えに要する時間αを付加して送出する。この場合もα＝１とすると、切替タイミングはＦＮ＋１となる。切替制御装置ＣＯＭのタイミング制御部２２は、この切替タイミングＦＮ＋１を接続装置ＤＨＴ０に通知する。それにより、接続装置ＤＨＴ０は切替タイミングＦＮ＋１に於いてハイウェイポートを閉じ、コネクション設定１の設定を開示する。又その切替タイミングＦＮ＋１に於いて接続装置ＤＨＴ１はハイウェイポートを開けることにより、現用予備の切り戻しを同一の切替タイミングＦＮ＋１に於いて行うことができる。
【００４１】
そして、接続装置ＤＨＴ０，ＤＨＴ１はそれぞれ切替制御装置ＣＯＭに対して切替応答を送出する。それにより、切替制御装置ＣＯＭは、接続装置ＤＨＴ０に対してハイウェイポートの割りつけ変更を指示する。又図示を省略したシーケンスによりハイウェイ選択接続装置１４の２ポート選択部２４を制御して、接続装置ＤＨＴ０に対するハイウェイの接続を遮断する。それにより、最初の制御状態に戻ることになる。
【００４２】
図４は本発明の実施の形態の切替制御過程の説明図であり、図２に於ける予備系の接続装置１５と、現用系の接続装置１６と、ハイウェイ選択接続装置１４の入出力側としての１４ａ，１４ｂと、切替制御装置１３とを示す。接続装置１５，１６は、メモリ等によるデータ整合ブロックと、ゲート等による出力制御ブロックとを含み、ハイウェイ選択接続装置１４ａ，１４ｂはハイウェイに切替接続する方路選択ブロックを含むものである。この方路選択ブロックは、図２に於ける２ポート選択部２４の機能に相当する。
【００４３】
図４の（Ａ）は、ハイウェイ選択接続装置１４ａ，１４ｂの方路選択ブロックを介して現用系の接続装置１６とが接続され、ハイウェイ選択接続装置１４ａの方路選択ブロックを介したデータは、接続装置１６の受信ポート側のデータ整合ブロックと、送信ポート側の出力制御ブロックとを介して、ハイウェイ選択接続装置１４ｂの方路選択ブロックに送出される。この場合、予備系の接続装置１５は切り離された状態となる。
【００４４】
前述の切替指示が切替制御装置ＣＯＭから送出されると、図４の（Ｂ）に示すように、ハイウェイ選択接続装置１４ａが切替制御装置ＣＯＭにより制御されて、予備系の接続装置１５に対してもハイウェイを接続する。この時、ハイウェイ選択接続装置１４ｂとの間は接続されない。即ち、予備系の接続装置１５の出力制御ブロックは閉じた状態を継続しているから、データ整合ブロックに受信したデータは、ハイウェイ選択接続装置１４ｂには送出されない。
【００４５】
そして、現用系の接続装置１６のデータ整合ブロックと、予備系の接続装置１５のデータ整合ブロックとによるデータの整合がとれた状態となると、即ち、現用予備の切替えに要する時間αとなると、図４の（Ｃ）に示すように、現用系の接続装置１６の出力制御ブロックを閉じて、予備系の接続装置１５の出力制御ブロックを開く。それにより、ハイウェイ選択接続装置１４ａ，１４ｂ間に、接続装置１５が接続された状態となる。即ち、現用予備の切替えが行われる。
【００４６】
本発明は、前述の実施の形態のみに限定されるものではなく、種々付加変更することができるものであり、例えば、基地局制御局の構成のみでなく、他の１：１又はＮ：１の現用予備切替制御システムに適用することがきる。又切替タイミングは、フレーム番号ＦＮを基に定めた場合を示すが、クロック信号に同期した切替タイミングであれば、フレーム番号ＦＮ以外のタイミング情報を用いることも可能である。
【００４７】
【発明の効果】
以上説明したように、本発明は、１：１又はＮ：１の現用予備切替制御システムを構成し、現用予備の切替要因の発生により、上位装置から予備系の下位装置に切替指示を送出し、予備系の下位装置は、上位装置に現用予備の切替えのタイミングを通知し、上位装置は、現用系の下位装置にこの切替タイミングを通知して、予備系の下位装置を現用系に、又現用系の下位装置を予備系に同時に切替えることにより、データの欠落もなく、且つデータの重複も発生しないで、現用予備の切替えが可能となる利点がある。
【図面の簡単な説明】
【図１】本発明の原理説明図である。
【図２】本発明の実施の形態の説明図である。
【図３】本発明の実施の形態の切替制御動作シーケンス説明図である。
【図４】本発明の実施の形態の切替制御動作過程の説明図である。
【図５】従来例の現用予備切替制御システムの説明図である。
【図６】従来例の切替制御動作シーケンス説明図である。
【符号の説明】
１  上位装置
２，３  下位装置
１１  上位制御装置（ＣＯＮＴ）
１２  ＡＴＭスイッチ（ＡＴＭＳＷ）
１３  切替制御装置（ＣＯＭ）
１４  ハイウェイ選択接続装置（ＨＷＳ）
１５，１６，１７  接続装置（ＤＨＴ０，ＤＨＴ１，ＤＨＴ２）
【図１】
0003613339.tif 000002
【図２】
0003613339.tif 000003
【図３】
0003613339.tif 000004
【図４】
0003613339.tif 000005
【図５】
0003613339.tif 000006
【図６】
0003613339.tif 000007